(57)【要約】      （修正有）【課題】発電の際、磁気抵抗を低減し分散させる事で回転負荷を極力減らし、動力元である化石燃料や鉱物燃料等の使用率を減らす簡単な構造で、二酸化炭素等の有害化学物質の排出を激減させ効率良く電力や動力を得ること。【解決手段】動力装置１０１は、円柱ドーナツ型固定永久磁石１４の内円空洞部分に発生し磁極ホールまでの間隔の安定した磁場を後方磁極１０，前方磁極１７の磁場で構成され、一定間隔で円周方向に設置された複数の永久磁石１４が、後方磁極１０の磁極を先頭にして磁場と反発し、弾き出された自由電子（電子イオン）は磁束により前方磁極１７の極性へ運ばれて自由電子（電子イオン）密度に差を付けて回転方向に移動することで回転動力を取り出す。回転制御は、制御する方向２３に円柱ドーナツ型永久磁石１４と後方磁極１０と前方磁極１７が反応する間隔を調整する事で回転を制御する。【選択図】図２
2013188111.tif 000002
【特許請求の範囲】
【請求項１】
従来の永久磁石による反発や吸着による力を応用した動体では、反発力を応用すると吸着力に妨害され、反対の吸着力も同様となり、現在に至るまで動力元として発案は有るが実態がない状況である。
当発明では永久磁石を電子的回路として、磁気反応を電子的反応として考え高さ方向に着磁した円柱ドーナツ型永久磁石とその内面空洞部分の円周軌道内を周回する永久磁石を使った構造体で、磁束（電子配列）配列する間隔や電子バランスを保つ為に存在する自由電子（電子イオン）に歪みを作り、そこで発生する密度差により動作する構造体であり、永久磁石の極地に存在する電子（磁束）と自由電子（電子イオン）の出入り口で反対磁場を発生させる磁極点（磁極ホール）を避ける事を考慮し、同極永久磁石間に発生する純粋な磁場空間を電子反応面とした構造体である。
永久磁石の同極間に発生する磁場空間には磁束数（ガウス）の制限が分子の粒子単位まで無く円中心の磁極点（磁極ホール）までの距離間隔が空いている高さ方向に着磁した円柱ドーナツ型永久磁石を反応面として備え、
前記構造体で発生しているドーナツ部分空間の反応面を周回軌道として周回する着磁方向を進行方向前後にした永久磁石の間隔を空けて配置出来る様に数個を備え、
前記の永久磁石の回転軌道を保つ為に磁気反応面と反対面に磁気反応を妨げ無い素材で固定し、回転力を反応面の磁石特性と構造体の回転軸で支える構造体を備え、
前記構造体を支える為に高さ方向に着磁した円柱ドーナツ型永久磁石を固定する構造を作り、構造体内部に前記構造体の回転軸を回転軸受けで支える構造にし、回転軸で反応面との間隔を調整して回転数に変化をつける様に備え、
電子反応で動力元として使用出来る事を特徴とする電子反応動力装置。
【請求項２】
請求項２に記載の発明は、請求項１に記載の電子反応動力装置では無く、発電機に流用する発明で、円柱ドーナツ型固定永久磁石を電磁石に使われているコイルに変え永久磁石でコイルを挟み込む形式又は永久磁石と磁気反応物質で挟み込む構造体を備え、
磁束の流れ（電子流）をコイル間に発生させ、それに回転を与える事で回転負荷になる磁気抵抗を無い状態で電磁誘導による発電が出来る事を特徴とする無磁気抵抗発電装置である。
【請求項３】
請求項３に記載の発明は、請求項１に記載の電子反応動力装置では無く、電動機に流用する発明で円柱ドーナツ型永久磁石を電磁石に変えて直流電力を与える事で、高回転時に発生する磁気対抗による回転力の歪みが無い電動機として回転動力を引き出すことを特徴とする無磁気抵抗電動装置。
【請求項４】
請求項４に記載の発明は、請求項１から請求項３に記載の発明に使用される非接触軸受けで永久磁石の反発する力とそこで発生する自由電子（電子イオン）が元に戻ろうとする復元力を使用します。
高さ方向に着磁した棒形永久磁石の円周に連続した極性面軸として、等間隔に空間を空け棒磁石と同様の極性を対面する様に永久磁石を配置し、固定したものを軸受けとする構造体で軸の回転を磁気反発で支え、回転安定性を維持する為の永久磁石に空いた空間で自由電子（電子イオン）が出入りし、軸と軸受けの間隔を非接触で維持する構造体を備え。
軸が上下にずれない様に高さ方向に着磁した円柱形ドーナツ型永久磁石を対面する軸受け磁極と同様にして、挟み込む様に軸に固定する構造体を備え
永久磁石で非接触構造を形成する事を特徴とする非接触軸受けである。
【発明の詳細な説明】
【技術分野】
【０００１】  この発明は、従来の燃料を使用する動力元ではなく、太陽光や風力などの自然の力さえ必要とせずに電子反応で半永久に運動する動力元で、永久磁石の磁場で電子の流れを固定し、連続した動作をする電子の反応を動力元としている運動機である。
物理的反応を動力元としている内燃機関や原子力機関などの爆発膨張で動力を得る方法は、燃料自体が発火や核反応を起こす危険性があり、また自然界を動力元とした場合でも自然災害の危険性や、地球資源（原子力汚染物質を含む）を大量に消費する為、未来に至るまで環境破壊が続くものである。
つまり、電子反応は燃料を消費しないため環境破壊をせず、なおかつ爆発等の危険性が無い動力元であり、簡単な構造変更で無磁気抵抗発電機として電力エネルギーを効率よく引き出す事が出来る。
またそれに電力を流せば高回転でも回転力が減衰しない電動機となる動力装置に関するものである。
【背景技術】
【０００２】  近年、実用的な永久磁石式動力元が存在していない理由として、永久磁石が完全に解明されていない為、利用方法が吸着・反発のみの力を流用する事で発案している事が考えられる。
その為、永久磁石が空間に存在する電子の流れを整流している電子回路で、それを反応させ動力に変換する技術が未だにないと考えられる。
そして電動機や発電機は永久磁石を電子的回路として使用しているが、それを磁気的現象（電磁誘導）としてのみに捉えていたため、使用方法が限られていた。
つまり永久磁石と電流を解明して合理的に使用する事と、それに影響する構造体の素材の特性を知り、利用する事が必要不可欠なのである。【０００３】  この特許文献１は、運動装置として永久磁石を使用した半永久運動装置であるが磁石と磁石を直接反応させている為に反応速度が遅く、比重の重い磁石を動かないよう固定し、比重の軽い磁石を回転運動させる構造体の為、永久磁石の比重によって動作が限定されるものである。
永久磁石の両磁極の中心部分にある磁束を吸収する正反対の磁極を持つ磁極ホールが存在しており、磁気対象物体に反応して大きさが変化し回転運動に対して抵抗となる為、運動能力を低下させていた。
【先行技術文献】
【特許文献】
【０００４】
【特許文献１】特願２０１１−１７２５５６号
【発明の概要】
【発明が解決しようとする課題】
【０００５】  近年、石油・石炭・天然ガス・原子力などの限りある天然資源を動力元とし、また動力元を発電機に使用し、電力資源として近代文明を築いてきた。
しかし昨今では資源の産出に限界がある事が分かり、自然界の力を流用する、太陽光・風力・地熱・水流などを動力元とする発電機が注目を集めているが、自然界は不安定であり、また自然界の力を流用するには、設置場所を選ぶ・使用時間が限られる等、安定した動力又は電力は得られない状況である。
そして現在、内燃機関の燃料の燃焼によって生じる排気や騒音などの環境汚染が問題視されている事と原子力の危険性、このまま自然界の資源を動力元とする事は環境破壊や使用制限は避けては通れない大きな課題であり、本発明はこれらの問題を解決する手段として広く注目されている。【０００６】  石油・石炭・天然ガスを動力元とする内燃機関では二酸化炭素や一酸化炭素を始めとする、人体に対しての有害な物質を排出し自然環境を破壊してきた。
また原子力を動力元とする発電機は、放射能を出す使用済み核燃料や老朽化した原子炉などを解体した廃材などは自然界に安全な放射能排出値に戻すには数千年かかると言われている。
そして原発事故が起こると核兵器並に人体に影響を与え、数百年に渡り土地が放射能汚染される。また現存の自然エネルギー以外の動力元全て、限りある地球資源を使い資源の埋蔵量が無くなれば、いずれ使用出来なくなる。
自然エネルギーを使う場合、太陽光発電は日照時間や天気により発電時間と発電量が制限され、風力発電は安定した風の強さを必要とする為に設置場所を選び、水力発電は豊富な水源が必要となる等、それらの条件を満たす為に大半の発電所が電力消費地との距離が離れた場所に送電する事となる為、膨大な送電網が必要となり、その為の銅線の使用量も膨大となり、送電による電力の減衰と停電のリスクが生じる。
また上記条件を満たす為には、膨大な敷地・資源・資金・人力が必要とされそれに伴った環境破壊の進行により、人類が生存できなくなる時期をも早めている。その対策として代替エネルギーの開発が進んでいるが問題の解決にはならずに相反する結果となる。【０００７】  この発明は、前記問題を解決する為に天然資源を使わず空間に存在している原子や分子の電子活動、そしてその周りに存在する自由電子が宇宙空間を含め、すべて空間で反応し続けている電子が永久磁石に集まり、それにより電子方向が定まり、別の同様の永久磁石とのずれによって起こる反応（電子反応）を利用して動力に変換させる装置である。
分子や原子同士を物理反応で動力変換している従来の動力元とは根本的な違いがあり、電子反応を動力元にしている為に燃料を使用せず、環境破壊とは無縁である。
また寿命は消耗品を除き永久磁石の保磁能力で決まり、動力性能は永久磁石の磁束数で決まる。よって永久機関では無く永久磁石の保磁能力で寿命が決定されるのである。
また同原理で無磁気抵抗の発電機や電気動力機として流用でき、発電機としては純粋直流で発電でき、軸受けなどの回転抵抗を除いては回転抵抗を持たない、電気動力機としては軸受けなどの回転抵抗を除いて無回転抵抗で回転数による力の減衰がなく無段階で回転数を調整出来るのである。
つまり、現在重要な問題である代替えエネルギー・環境汚染・天然資源の保持など全ての問題点を解決することを目的とする。
【課題を解決するための手段】
【０００８】  請求項１に記載の発明は、空間に存在する電子を、永久磁石を使用して電子同士を反応させ動力元とするもので、現在に至るまで無い特許技術である。
原理の詳細なる説明から始める。
永久磁石は通電性がある粒子を絶縁した物質の集合体で、磁気を帯びさせる事で永久磁石となり電子を蓄え方向を揃え磁場を発生させている。
特性としては同極同士の磁場がぶつかると電子の周りに存在する自由電子が弾き出され元に戻ろうとする力が磁石の反発力であり、永久磁石の極性が違う間では電子が同調してより強い電子を求め引きつけ合うのである。
そしてその永久磁石で空間の電子（磁気）方向を定め、電子方向（磁気方向）が平行で連続している面に対して動体永久磁石を使い電子方向（磁極方向）平行０度として約２０度以上１６０度以内の角度を付けその角度を構造体で固定すると永久磁石から発生している磁場の反発（電子がぶつかり合う）で弾き出された自由電子（電子イオン）を動体永久磁石の磁束に乗せて磁場が同調し引き合う空間に運び、自由電子（電子イオン）の高密度と低密度という空間を作り、密度の違いで永久磁石を移動させ動力を引き出すのである。
上記で説明した理論の、連続した磁場を持つ構造体は単一の永久磁石である必要がある為に形状と着磁方向で構造体を作る。
形状は円柱で中心部より同一距離で空間を持つドーナツ型にして着磁を高さ方向にする事で空洞部分に連続した広い面積を持つ磁場が発生し、反対磁場を持つ磁極ホールに影響される事の無い電子反応面になり、その反応面に対し径方向、円中心部から外周部を直線で結び直線外周点を０度として約２０度以上１６０度以内の角度を付け、反対磁場を先頭に同極磁場を持つ面を後方にとなる永久磁石で固定する事で、ドーナツ型磁石の空洞部分円周軌道を周回する事になり、また約２００度以上３４０度以内で反対方向に円軌道を周回するのである。
そして周回軌道に乗る永久磁石は、回転方向先頭の磁極を周回軌道の磁極と同じにして、後方の磁極を先頭と反対磁極に着磁した永久磁石に複数個の間隔を空けて電子反応面の反対面に角度を固定する構造体に固定し、構造体に回転動力を伝える。
その構造体の中心部分は電子反応部分から電子・磁気・電気の影響が少なくなる距離に中心点を構成し、回転軸受けで支え、電子反応部分は磁極配列で周回軌道を固定しているので、磁石同士の電子反応で磁気軌道を周回する運動を回転軸中心に伝えて回転運動を出力するものである。
また、上記構造をドーナツ型永久磁石の反対面磁極に回転方向を揃え構成する事で、周回する永久磁石の吸着する特性により非接触で同期でき、回転運動力を倍にして出力する事が出来るのである。
つまり永久磁石を電子的回路として、空間に存在する電子と自由電子の反応エネルギーを動力元として回転運動に変え、外部に出力が出来る運動機であり、永久磁石の保磁力が続く限り消耗品の寿命が来るまで運動する事が出来る電子反応動力装置である。【０００９】  請求項２に記載の発明は、請求項１に記載の発明装置を電子反応動力装置では無く電動機に流用する発明で、円柱ドーナツ型固定永久磁石を電磁石に使われているコイルに変え永久磁石でコイルを挟み込む形式又は永久磁石と磁気反応物質で挟み込む事で、磁気（電子）をコイル間に発生させ、それに回転を与える事で回転負荷になる磁気抵抗を無い状態で電磁誘導による発電が出来る事を特徴とする無磁気抵抗発電装置である。【００１０】  請求項３に記載の発明は、請求項１に記載の発明装置を電子反応動力装置では無く電動機に流用する発明で、円柱ドーナツ型固定永久磁石を電磁石に使われているコイルに変えて直流電気を流す事で電動機となり、磁気抵抗が無いため高回転による回転力の減衰が無い事を特徴とする無磁気抵抗電動装置である。【００１１】  請求項４に記載の発明は、請求項１から請求項３に記載の発明に使用される非接触軸受けで、永久磁石の反発する力とそこで発生する自由電子（電子イオン）が元に戻ろうとする復元力を使用するものである。
着磁方向を上下とする棒形永久磁石の円周に連続した極性面軸として、等間隔に空間を空け、棒磁石と同様の極性を対面する様に永久磁石を配置・固定したものを軸受けとする構造体で軸の回転を磁気反発で支え、回転安定性を維持する為の永久磁石に空いた空間で自由電子（電子イオン）が出入りし、軸と軸受けの間隔を非接触で維持している。
そして軸が上下にずれない様に高さ方向に着磁した円柱形ドーナツ型永久磁石を対面する軸受け磁極と同様にして、挟み込む様に軸に固定する事で非接触を特徴とする非接触軸受けである。
【発明の効果】前記構成により、この発明は以下のような効果を有する。【００１２】  請求項１に記載の発明では、物理反応で燃料を消費する事無く、燃料を使わない電子反応で動力を得る事ができる。
また請求項２乃至請求項３磁気抵抗の無い発電装置や高回転で減衰しない電動機と共に使用することでエネルギー効率が良い方向で改善され、産業から家庭生活まで改善されるのである。
また請求項４に記載の発明は、請求項１乃至請求項３の軸受けに同原理を応用し非接触にする事で回転摩擦を無くし、回転負荷を与えない事と消耗品が無くなる事で半永久に使用出来る構造体である。
そして請求項１乃至請求項４に記載の発明は構造が簡単である為、大型化から超小型化まで製造出来るので、人型ロボット・自動車・船舶にまで幅広く使用できる。
また宇宙空間に電子は存在しているので使用することが出来るのである。
よって次世代エネルギーは不要となり、極めて安全な次世代動力・発電・電動機として使用場所も選ばない効率の良い動力を得ることができる。
【図面の簡単な説明】
【００１３】
【図１】第１の実施の形態の電子反応動力装置の上から見た断面図である。
【図２】第１の実施の形態の電子反応動力装置の横から見た断面図である。
【図３】第２の実施の形態の無磁気抵抗発電装置の上から見た断面図である。
【図４】第２の実施の形態の無磁気抵抗発電装置の横から見た断面図である。
【図５】第３の実施の形態の無磁気抵抗電動装置の上から見た断面図である。
【図６】第３の実施の形態の無磁気抵抗電動装置の横から見た断面図である。
【図７】第４の実施の形態の非接触軸受け装置の上から見た永久磁石配列の断面図である。
【図８】第４の実施の形態の非接触軸受け装置の横から見た断面図である。
【００１４】
【発明を実施するための形態】
【００１５】  以下、この発明の低回転抵抗発電装置の実施の形態について説明する。この発明の実施の形態は、発明の最も好ましい形態を示すものであり、この発明はこれに限定されない。
【００１６】［第１の実施の形態］
第１の実施の形態の発電装置の構成を、図１と図２に基づいて説明する。
図１は電子反応動力装置の上から見た断面図で、図２は電子反応動力装置の横から見た断面図である。
【００１７】  この電子反応動力装置１００，１０１は、固定体として１２，１３，１４，２０，２４，２５と、回転体１０，１１，１５，１６，１７，１９，２１，２２を備え、動力を出力する。１０の磁極を先頭に１４の円内の空間で発生している磁場空間と、１０の磁気反発ではじき飛ばされた自由電子（電子イオン）は１７の磁極まで流され、密度を増す為に１０の磁極では密度が減少し密度差で１８の方向に回転するのである。
【００１８】  永久磁石が１４の円柱ドーナツ型永久磁石と１０，１７の永久磁石が安定し停止しようとするねじれ方向に力が働くが２１，２２に１５で固定し、ねじれ方向の力を封じている為に１８の方向に回転する妨げにならないのである。
また電子反応部分に軸受けの必要性はなく、１０，１４の磁極が反発しているため回転軌道を維持でき、２０の軸受けで支えているのである。
【００１９】  上下回転体を接続させ無くても１０，１７の磁極と１７，１０の磁極が１４の円柱ドーナツ型永久磁石の空間で引き合う吸着現象で非接触に結ばれるため、上下回転磁石の回転差が出来ないのである。
【００２０】  回転制御は２３の方向に１４の円柱ドーナツ型永久磁石と１０，１７が反応する間隔を調整する事で回転を制御出来るのである。
【００２１】  この実施の形態では、電子反応動力装置は主として動力元として家庭用から業務用までの発電機・空調機・電気自動車、或いはその他の工業用・産業用機械の高能率で安全な動力として広汎な用途に用いられる。
【００２２】［第２の実施の形態］
第２の実施の形態の動力装置の構成を、図３と図４に基づいて説明する。図３は無磁気抵抗発電装置の上から見た断面図であり、図４は無磁気抵抗発電装置の横から見た断面図である。
【００２３】  この発電装置１０２，１０３は、固定体として２０，２６，２９、回転体として１０，１１，１７，１９，２１，２２，２８を備え、１０の磁極と１７の磁極が２６のコイルの空間を挟んで吸着使用として反応し磁気（電子）を２６のコイル表面に飛ばしている状態である。
１９の回転軸より回転運動をあたえ、１６，２１の永久磁石土台を数個固定して構造体に回転を伝え、磁気反応している１０，１７を回転させ、２６のコイルに電磁誘導を与え１０８の電気を出力するターミナルから電気を出す発電機である。
【００２４】  磁気抵抗を無くす為に１０，１７の永久磁石を同じように回転させながら磁気反応を起こす事で磁気抵抗が無い構造体にしているのである。
【００２５】  ２１，２２，２８，２９の構造体に磁気抵抗の低い素材を使用すれば、１９の回転軸や２０の回転軸受けに、例え磁気抵抗の高い素材を使用しても磁力が届かない距離に間隔を空ける事で磁気抵抗とは無縁になるのである。
【００２６】  この実施の形態では磁気抵抗の無い発電機として、電気自動車の加速時や走行時に発電出来る発電機として、或いはその他の工業用、産業用電動機械の高能率発電機として広汎な用途に用いられる。
【００２７】［第３の実施の形態］
第３の実施の形態の動力装置の構成を、図５と図６に基づいて説明する。図５は無磁気抵抗電動装置の上から見た断面図であり、図６は無磁気抵抗電動装置の横から見た断面図である。
【００２８】  この電動装置１０４と１０５は、固定体として２６，２９，２０と、回転体１０，１１，１７，１９，２１，２２，２８を備え、１０に磁極と１７の磁極が２６のコイルの空間を挟んで吸着使用として反応し磁気（電子）を２６のコイル表面に飛ばしている状態である。
１０９の電気を入力するターミナルに電気を送り、２６の銅線などを絶縁被服して巻いたコイルを電磁石にして１０，１７の永久磁石と反応させ回転に変え、２２の永久磁石の土台を通し２１の永久磁石の土台数個をまとめた回転軸に伝える構造体から１９の回転軸に回転動力を伝え外部に動力を引き出す電動機である。
【００２９】  磁気抵抗を無くす為に１０，１７の永久磁石を同じように回転させ、回転しながら磁気反応を起こす事で磁気抵抗が無い構造体にしているのである。
【００３０】  ２１，２２，２８，２９の構造体を磁気抵抗の低い素材を使用すれば、１９の回転軸や２０の回転軸受けに例え磁気抵抗の高い素材を使用しても磁力が届かない距離に間隔を空ける事で磁気抵抗とは無縁になるのである。
【００３１】  この実施の形態では、磁気抵抗の無い電動機として、主として電気自動車の回転むらが無く高回転でも回転力が下がらない動力元としての電動機として、或いはその他の工業用、産業用電動機械の高能率電動機として広汎な用途に用いられる。
［第４の実施の形態］
第４の実施の形態の非接触軸受け装置の構成を、図７及び図８に基づいて説明する。図７は非接触軸受け装置の上から見た永久磁石配列の断面図であり、図６は非接触軸受け装置の横から見た断面図である。
【００３２】  この非接触軸受け装置１０６，１０７は、固定体３０，３１，３７，３８と、回転体３２，３３，３５，３６を備え、この固定体３０，３１，３７と回転体３２，３３，３６は永久磁石で構成され、永久磁石の反発力で回転軸と回転軸受け３の間隔を空け摩擦抵抗を無くす構造体である。
【００３３】  回転軸３５と永久磁石３３，３６を同直線でつなぎ、３２のドーナツ型永久磁石を固定し回転に備え、回転軸受け３８に永久磁石反発面３０を３２ドーナツ型永久磁石に挟まれる様に３７永久磁石の磁極側で３８構造体に固定し、回転軸受けで使用する永久磁石間に均等な空洞が有るため３４で自由電子（電子イオン）が出入り出来る。
その為反発する磁場が安定する事ができるのである。
【００３４】  この実施の形態では、回転軸と回転軸受けを磁石の反発力で非接触にする構造体で、主として電子反応動力装置、無磁気抵抗発電装置、無磁気抵抗電動装置の非接触軸受けとして使用し、消耗品を無くし高回転に耐えられる構造体を形成出来るのである。
【産業上の利用可能性】
【００３５】  この発明は、主として自動車や船舶に使用されている内燃機、火力、風力、水力或いは原子力に変わる動力元として広汎な用途に用いられる電子反応動力装置で宇宙空間でも使用可能である。
また工業用の動力元としても使用でき、電子反応動力装置を動力元として無磁気抵抗発電装置で発電し、その電力で無磁気抵抗電動装置を使い運動エネルギーとして使用する事が可能である。
したがって、現在使用されている電気製品が大きく変化し、資源を使わず安全に動力と電力を簡単な構造で取り出すことが出来るのである。
【符号の説明】
【００３６】１０．回転運動する永久磁石の後方磁極
１１．回転運動する永久磁石を固定する構造体の回転中心部
１２．２４．円柱ドーナツ型永久磁石を固定する構造体
１３．電子反応動力装置構造体を収納する構造体
１４．円柱ドーナツ型永久磁石
１５．回転運動する永久磁石を土台に固定する構造体
１６．２１．回転運動する永久磁石を固定している土台数個をまとめ回転軸に伝える構造体
１７．回転運動する永久磁石の先頭磁極
１８．回転方向
１９．回転軸
２０．回転軸受け
２２．回転運動する永久磁石の土台
２３．電子反応動力装置を制御する方向
２５．回転軸受けと円柱ドーナツ型永久磁石を固定する又は回転を制御する構造体
２６．銅線などを絶縁被覆して巻いたコイル
２７．２９．コイルと回転軸受けを固定する構造体
２８．上下の回転する永久磁石を支え同期させる柱
３０．回転軸受けで固定され回転軸永久磁石の反発する磁極
３１．回転軸受けで固定され回転軸永久磁石の反発する磁束と自由電子（電子イオン）を吸収する反応面磁極と反対磁極
３２．回転軸受け永久磁石から上下にずれない様に永久磁石の反発する力で支える磁極面を持つ円柱形ドーナツ型永久磁石
３３．回転軸であり回転軸受けと反発する磁極面を持つ永久磁石
３４．電子や自由電子（電子イオン）行き交う空間
３５．磁力を持たない回転軸で永久磁石回転軸を接続している回転軸
３６．回転軸であり回転軸受けの磁気を吸収する磁極面を持つ永久磁石
３７．磁気反発側と反対極
３８．回転軸受け永久磁石を固定する構造体
１００．１０１．電子反応動力装置
１０２．１０３．無磁気抵抗発電装置
１０４．１０５．無磁気抵抗発動装置
１０６．１０７．非接触軸受け
１０８．電気を出力する電気ターミナル
１０９．電気を入力する電気ターミナル
【図１】
2013188111.tif 000003
【図２】
2013188111.tif 000004
【図３】
2013188111.tif 000005
【図４】
2013188111.tif 000006
【図５】
2013188111.tif 000007
【図６】
2013188111.tif 000008
【図７】
2013188111.tif 000009
【図８】
2013188111.tif 000010